(57)【要約】【課題】ナノファイバの生産性を高めることができ、かつ省スペース化を達成し得る電界紡糸装置及びそれを用いたナノファイバ製造装置を提供すること。【解決手段】電界紡糸装置１は、凹曲面１１を備えた電極１０と、該電極１０の凹曲面１１に囲まれるように配置された針状の紡糸液吐出用ノズル２０とを有する。電極１０とノズル２０との間に電界を生じさせた状態下に、ノズル２０の先端より吐出させた紡糸液からナノファイバを形成する。ノズル２０の延びる方向が、電極１０の凹曲面１１における開口端によって画成される円の中心か、又はその中心の近傍を通り、かつノズル２０の先端２０ａが、該開口端によって画成される円を含む平面内に位置するか、又は該平面の近傍に位置するようにノズル２０を配置した。【選択図】図２
2014095174.tif 000002
【特許請求の範囲】
【請求項１】
凹曲面を備えた電極と、該電極の凹曲面に囲まれるように配置された針状の紡糸液吐出用ノズルとを有し、該電極と該ノズルとの間に電界を生じさせた状態下に、該ノズルの先端より吐出させた紡糸液からナノファイバを形成するようにした電界紡糸装置であって、
前記ノズルの延びる方向が、前記電極の凹曲面における開口端によって画成される円の中心か、又はその中心の近傍を通り、かつ該ノズルの先端が、該開口端によって画成される円を含む平面内に位置するか、又は該平面の近傍に位置するように、該ノズルを配置した電界紡糸装置。
【請求項２】
前記電極における凹曲面が、平面部を有する複数のセグメントを繋ぎ合わせて全体として凹曲面とみなせる形状となっているか、又は互いに直交する三軸のうち一軸が曲率を有さない帯状部を有する複数の環状セグメントを繋ぎ合わせて全体として凹曲面とみなせる形状となっている請求項１に記載の電界紡糸装置。
【請求項３】
前記ノズルを、その横断面視において複数の区画に区切り、各区画に前記紡糸液を流通させるようにした請求項１又は２に記載の電界紡糸装置。
【請求項４】
前記ノズルの延びる方向が、前記電極の凹曲面における開口端によって画成される円の中心か、又はその中心の近傍と、該凹曲面における最底部とを通るように、該ノズルを配置した請求項１ないし３のいずれか一項に記載の電界紡糸装置。
【請求項５】
前記ノズルの先端が、前記電極の凹曲面における開口端によって画成される円を含む平面内に位置するか、又は該平面よりも該凹曲面の内側に位置するように、該ノズルを配置した請求項１ないし４のいずれか一項に記載の電界紡糸装置。
【請求項６】
前記電極の凹曲面が、真球の球殻の略半球面の形状をしている請求項１ないし５のいずれか一項に記載の電界紡糸装置。
【請求項７】
凹曲面を備えた電極と、該電極の凹曲面に囲まれるように配置された針状の紡糸液吐出用ノズルとを有し、該電極と該ノズルとの間に電界を生じさせた状態下に、該ノズルの先端より吐出させた紡糸液からナノファイバを形成するようにした電界紡糸装置であって、
前記ノズルの延びる方向が、前記電極の凹曲面における開口端によって画成される平面の図心か、又はその図心の近傍を通り、かつ該ノズルの先端が、該開口端によって画成される平面内に位置するか、又は該平面の近傍に位置するように、該ノズルを配置した電界紡糸装置。
【請求項８】
前記電極における凹曲面が、平面部を有する複数のセグメントを繋ぎ合わせて全体として凹曲面とみなせる形状となっている請求項７に記載の電界紡糸装置。
【請求項９】
前記ノズルの延びる方向が、前記電極の凹曲面における開口端によって画成される平面の図心か、又はその図心の近傍と、該凹曲面における最底部の位置であって、かつ該電極との距離が最短となる該位置とを通るように、該ノズルを配置した請求項７又は８に記載の電界紡糸装置。
【請求項１０】
前記ノズルの先端が、前記電極の凹曲面における開口端によって画成される平面内に位置するか、又は該平面よりも該凹曲面の内側に位置するように、該ノズルを配置した請求項７ないし９のいずれか一項に記載の電界紡糸装置。
【請求項１１】
前記電極の凹曲面が、略半円筒の形状をしている請求項７ないし１０のいずれか一項に記載の電界紡糸装置。
【請求項１２】
請求項１ないし１１のいずれか一項に記載の電界紡糸装置と、
前記電界紡糸装置における前記ノズルの基部の近傍に位置し、該ノズルの延びる方向に沿って、かつ該ノズルの先端方向に向けて気体流を噴出させる気体流噴出部と、
前記ノズルの先端に対向するように配置されたナノファイバ捕集用電極と、
前記ノズルに前記紡糸液を供給する紡糸液供給部とを有するナノファイバ製造装置。
【請求項１３】
前記ノズルがいずれも同方向を向くように、前記電界紡糸装置を複数配置した請求項１２に記載のナノファイバ製造装置。
【請求項１４】
前記ナノファイバ捕集用電極に隣接するように、該ナノファイバ捕集用電極と前記ノズルとの間に、ナノファイバが捕集される捕集体を配置し、該捕集体を一方向に走行させるようにした請求項１２又は１３に記載のナノファイバ製造装置。
【請求項１５】
請求項１２ないし１４のいずれか１に記載のナノファイバ製造装置を用いるナノファイバの製造方法。
【発明の詳細な説明】
【技術分野】
【０００１】
本発明は、電界紡糸装置及びそれを備えたナノファイバ製造装置に関する。
【背景技術】
【０００２】
電界紡糸法（ＥＳ法）は、機械力や熱力を使わずにナノサイズの粒子やファイバなどを比較的簡単に製造できる技術として注目を浴びている。これまで行われてきた電界紡糸法では、ナノファイバの原料となる物質の溶液をシリンジに充填しておき、該シリンジに取り付けられている針状のノズルと、これに対向する捕集用電極との間に直流高電圧を印加した状態下に、該ノズルの先端から溶液を吐出する操作を行う。吐出された溶液中の溶媒は電場中で瞬時に蒸発し、原料は凝固しながらクーロン力で延伸されてナノファイバが形成される。そしてナノファイバは捕集用電極の表面に堆積する。
【０００３】
しかし上述の電界紡糸法では、１本のノズルから１本ないし数本程度のナノファイバしか製造できない。このように、ナノファイバの量産化技術は未だ確立されておらず、実用化がほとんど進んでいないのが現状である。
【０００４】
ナノファイバ製造の生産性を高める従来の技術として、以下に述べる特許文献１ないし５に記載の電界紡糸法が知られている。特許文献１に記載の電界紡糸法では、複数の小穴を有する導電性の回転容器としての円筒状容器内に、高分子物質を溶媒に溶解した高分子溶液を供給し、円筒状容器を回転させて、電荷を帯電させた高分子溶液を該小穴から流出させる。そして、線状に流出した高分子溶液を遠心力と溶媒の蒸発に伴う静電爆発にて延伸させて高分子物質からなるナノファイバを生成させる。そして生成したナノファイバを、円筒状容器の軸心方向一側部に配設した反射電極や送風手段によって、円筒状容器の軸心方向他側方に向けて偏向させて流動させる。
【０００５】
特許文献２に記載の電界紡糸法では、複数の小穴を有する導電性の回転容器内に原料溶液を供給しておく。また、回転容器の周囲を取り囲むように配設した環状電極と、該回転容器の小穴近傍との間に高電圧を印加してそれらの間に電界を発生させた状態にしておく。この状態下に回転容器を回転させ、遠心力と電界の作用で原料溶液を小穴から流出させ、帯電したファイバを紡糸する。更に、回転容器と環状電極間の紡糸空間からファイバを排出しつつ溶媒の蒸発に伴う静電爆発によってファイバを延伸させて、ナノファイバを生成させる。
【０００６】
特許文献３及び４に記載の電界紡糸法では、金属球と金属製の紡出ノズル開口との間に高電圧を印加した状態下に、該紡出ノズルから高分子材料の溶液を吐出させる。このとき、金属球と紡出ノズル開口との経路に直交するように高速気流を噴出させる。これによって、紡出ノズルから紡出されるナノファイバの進路を変更させ、高速気流によって飛散させる。飛散するナノファイバは、ナノファイバ捕集部において捕集される。
【０００７】
特許文献５に記載の電界紡糸法では、紡糸溶液をスプレーする樹脂製のノズルと、紡糸溶液を帯電させる電極とを用い、電界中に紡糸溶液をスプレーして紡糸を行っている。紡糸溶液を貯留する容器には、該紡糸溶液を帯電させるための導電性材料からなる電極が内蔵されている。
【先行技術文献】
【特許文献】
【０００８】
【特許文献１】特開２００８−１５０７６９号公報
【特許文献２】特開２００９−４１１２８号公報
【特許文献３】特開２０１１−１２７２３４号公報
【特許文献４】国際公開第２０１２−０６６９２９号パンフレット
【特許文献５】特開２０１１−１０２４５５号公報
【発明の概要】
【発明が解決しようとする課題】
【０００９】
しかし、上述した各種の電界紡糸法は、量産性が未だ十分とは言えない場合がある。また製造設備が複雑であったり、製造設備の占有スペースが大きかったりするので、経済的に有利とは言えない。
【００１０】
したがって本発明の課題は、前述した従来技術が有する欠点を解消し得る電界紡糸装置及びナノファイバ製造装置を提供することにある。
【課題を解決するための手段】
【００１１】
前記課題を解決すべく本発明者は鋭意検討した結果、ナノファイバの紡糸液から製造されるナノファイバの太さを細くするためには、紡糸液に作用するクーロン力が極めて重要な要素となっていることを知見した。更に検討を推し進めたところ、紡糸液の単位質量当たりの帯電量を高めることで、吐出用ノズル１本当たりのナノファイバの製造能力を高めることができ、製造設備の大型化を抑制しつつ、ナノファイバの生産性を高め得ることを知見した。
【００１２】
本発明は前記知見に基づきなされたものであり、凹曲面を備えた電極と、該電極の凹曲面に囲まれるように配置された針状の紡糸液吐出用ノズルとを有し、該電極と該ノズルとの間に電界を生じさせた状態下に、該ノズルの先端より吐出させた紡糸液からナノファイバを形成するようにした電界紡糸装置であって、
前記ノズルの延びる方向が、前記電極の凹曲面における開口端によって画成される円の中心か、又はその中心の近傍を通り、かつ該ノズルの先端が、該開口端によって画成される円を含む平面内に位置するか、又は該平面の近傍に位置するように、該ノズルを配置した電界紡糸装置を提供することによって前記課題を解決したものである。
【００１３】
また本発明は、前記電界紡糸装置と、
前記電界紡糸装置における前記ノズルの基部の近傍に位置し、該ノズルの延びる方向に沿って、かつ該ノズルの先端方向に向けて気体流を噴出させる気体流噴出部と、
前記ノズルの先端に対向するように配置されたナノファイバ捕集用電極と、
前記ノズルに前記紡糸液を供給する紡糸液供給部とを有するナノファイバ製造装置を提供するものである。
【発明の効果】
【００１４】
本発明によれば、ナノファイバの生産性を高めることができ、かつ省スペース化を達成し得る電界紡糸装置及びそれを用いたナノファイバ製造装置が提供される。
【図面の簡単な説明】
【００１５】
【図１】図１は、本発明の電界紡糸装置の一実施形態を示す斜視図である。
【図２】図２は、図１に示す電界紡糸装置の断面構造を示す模式図である。
【図３】図３（ａ）ないし（ｄ）は、電界紡糸装置の電極における開口端の種々の形状を示す平面図である。
【図４】図４は、電界紡糸装置の電極における開口端の別の形状を示す平面図である。
【図５】図５は、電界紡糸装置の他の実施形態の断面構造を示す模式図（図２相当図）である。
【図６】図６は、ノズルの横断面視での構造を示す模式図である。
【図７】図７（ａ）は、本発明の電界紡糸装置の原理を示すモデル図であり、図７（ｂ）は、従来の電界紡糸装置の原理を示すモデル図である。
【図８】図８は、図１に示す電界紡糸装置を備えたナノファイバ製造装置を示す模式図である。
【図９】図９は、本発明の電界紡糸装置の別の実施形態を示す斜視図である。
【図１０】図１０は、本発明の電界紡糸装置の更に別の実施形態を示す斜視図である。
【図１１】図１１は、電界紡糸装置の更に他の実施形態の断面構造を示す模式図（図２相当図）である。
【図１２】図１２（ａ）は、実施例１で得られたナノファイバの走査型電子顕微鏡像であり、図１２（ｂ）は、図１２（ａ）の拡大像である。
【図１３】図１３（ａ）は、比較例１で得られたナノファイバの走査型電子顕微鏡像であり、図１３（ｂ）及び図１３（ｃ）は、図１３（ａ）の拡大像である。
【図１４】図１４（ａ）は、比較例２で得られたナノファイバの走査型電子顕微鏡像であり、図１４（ｂ）は、図１４（ａ）の拡大像である。
【発明を実施するための形態】
【００１６】
以下本発明を、その好ましい実施形態に基づき図面を参照しながら説明する。図１には、本発明の電界紡糸装置の一実施形態の斜視図が示されている。図２は、図１に示す電界紡糸装置の断面構造を示す模式図である。図１に示す電界紡糸装置１は、電極１０と紡糸液吐出用ノズル２０とを有している。
【００１７】
電極１０は全体として略椀形をしており、その内面に凹曲面１１を備えている。電極１０は、その内面が凹曲面１１となっている限りにおいて、その全体の形状は略椀形になっていることを要せず、その他の形状となっていてもよい。凹曲面１１は導電性材料から構成されており、一般には金属製である。電極１０は、電気絶縁性材料からなる基台３０に固定されている。また電極１０は、図２に示すとおり直流高圧電源４０に接続されている。
【００１８】
凹曲面１１をその開口端側から見たとき、該開口端は円形をしている。この円形は、真円形でもよく、あるいは楕円形でもよい。後述するとおり、ノズル２０の先端に電荷を集中させる観点からは、凹曲面１１の開口端は真円形であることが好ましい。開口端の形状が真円でない場合、該開口端の形状としては、図３（ａ）及び（ｂ）に示すとおり、円Ｃと楕円Ｅとを組み合わせた形状とすることができる。図３（ａ）においては、直径Ｄ１の円Ｃと、短径Ｄ１の楕円形Ｅとを組み合わせている。上半分は、短径Ｄ１の楕円Ｅを、その短径軸に沿って二分した形状になっており、下半分は、直径Ｄ１の円Ｃの半円の形状になっている。図３（ｂ）においては、直径Ｄ２の円Ｃと、長径Ｄ２の楕円形Ｅとを組み合わせている。上半分は、長径Ｄ２の楕円Ｅを、その長径軸に沿って二分した形状になっており、下半分は、直径Ｄ２の円Ｃの半円の形状になっている。開口端の形状として図３（ｃ）に示す、２つの楕円Ｅ１及びＥ２を組み合わせた形状を採用することもできる。図３（ｃ）においては、短径Ｄ３の楕円Ｅ１と、長径Ｄ３の楕円Ｅ２とを組み合わせている。左半分は、短径Ｄ３の楕円形を、その短径軸に沿って二分した形状になっており、右半分は、長径Ｄ３の楕円形を、その長径軸に沿って二分した形状になっている。開口端の形状として更に図３（ｄ）に示す、２つの円Ｃ１及びＣ２を組み合わせた形状を採用することもできる。図３（ｄ）においては、第１の円Ｃ１の中心軸と、第２の円Ｃ２の中心軸とが同一線上に位置しており、かつ第１の円Ｃ１の中心と第２の円Ｃ２の中心とが一致していない。第１の円Ｃ１の直径は、第２の円Ｃ２の直径よりも小さくなっている。
【００１９】
凹曲面１１の開口端が楕円であるときには、図４に示すとおり楕円Ｅに内接する円Ｃ１の直径Ｄ１と、楕円Ｅに外接する円Ｃ２の直径Ｄ２との比であるＤ１／Ｄ２の値が９／１６以上であることが好ましく、３／４以上であることが更に好ましく、４／５以上であることが更に好ましい。
【００２０】
一方、凹曲面１１は、そのいずれの位置においても曲面になっている。ここで言う曲面とは、（イ）平面部を全く有していない曲面のことであるか、（ロ）図５に示すとおり、平面部Ｐを有する複数のセグメントＧを繋ぎ合わせて全体として凹曲面１１とみなせる形状となっていることであるか、又は（ハ）互いに直交する三軸のうち一軸が曲率を有さない帯状部を有する複数の環状セグメントを繋ぎ合わせて全体として凹曲面とみなせる形状となっていることのいずれかを言う。（ロ）の場合は、例えば縦及び横の長さが０．５〜５ｍｍ程度の矩形となっている、同一の又は異なる大きさの平面部Ｐを有するセグメントＧを繋ぎ合わせて凹曲面１１を形成することが好ましい。（ハ）の場合は、例えば半径が種々異なり、かつ高さが０．００１〜５ｍｍである扁平な複数種類の円筒からなる環状セグメントを繋ぎ合わせて凹曲面１１を形成することが好ましい。この環状セグメントにおいては、互いに直交する三軸、すなわちＸ軸、Ｙ軸及びＺ軸のうち、円筒の横断面を含むＸ軸及びＹ軸が曲率を有し、かつ円筒の高さ方向であるＺ軸が曲率を有していない。
【００２１】
凹曲面１１は、その任意の位置における法線がノズル２０の先端又はその近傍を通るような値となっていることが好ましい。この観点から、凹曲面１１は、真球の球殻の内面と同じ形状をしていることが特に好ましい。
【００２２】
図１及び図２に示すとおり、凹曲面１１の最底部は開口しており、その開口部にノズルアセンブリ２１が取り付けられている。したがって、凹曲面１１が真球の内面と同じ形状をしている場合、該凹曲面１１は球帯の球殻の内面と同じ形状をしていることになる。
【００２３】
ノズルアセンブリ２１は、先に述べたノズル２０と、該ノズル２０を支持する支持部２２とを有している。ノズル２０は導電性材料から構成されており、一般には金属から構成されている。一方、支持部２２は電気絶縁性材料から構成されている。したがって、先に述べた電極１０とノズル２０とは、支持部２２によって電気的に絶縁されている。ノズル２０は支持部２２を貫通しており、ノズル２０の先端２０ａは凹曲面１１からなる電極１０内に露出している。ノズル２０の後端２０ｂは、電極１０の背面側（すなわち、凹曲面１１と反対側）において露出している。ノズル２０の後端２０ｂは、紡糸液の供給源（図示せず）に接続されている。
【００２４】
導電性材料からなるノズル２０は、針状の直管から構成されている。ノズル２０内には、紡糸液が流通可能になっている。ノズル２０の内径は、その下限値を好ましくは２００μｍ以上、更に好ましくは３００μｍ以上に設定することができる。一方、その上限値を好ましくは３０００μｍ以下、更に好ましくは２０００μｍ以下に設定することができる。好ましくは２００μｍ以上３０００μｍ以下、更に好ましくは３００μｍ以上２０００μｍ以下に設定することができる。ノズルの内径をこの範囲内に設定することで、高分子である紡糸液を容易に、かつ定量的に送液できるとともに、紡糸液を効率よく帯電させられるので好ましい。
【００２５】
ノズル２０を、図６に示すとおり、その横断面視において複数の区画Ｓに区切り、各区画Ｓに前記紡糸液を流通させるようにしてもよい。こうすることで、紡糸液とノズル２０の内壁との接触面積が増大し、紡糸液を一層帯電させやすくすることができる。ノズル２０をその横断面視において複数の区画Ｓに区切った場合、上述したノズル２０の内径とは、各区画Ｓにおける内径のことを言う。各区画の形状や内径は同じであってもよく、あるいは異なっていてもよい。
【００２６】
ノズル２０が導電性材料から構成されていることは先に述べたとおりであるところ、該ノズル２０は図２に示すとおり接地されている。これに対して電極１０には負電圧が印加されているので、電極１０とノズル２０との間には電界が生じる。なお、電極１０とノズル２０との間に電界を生じさせるためには、図２に示す電圧の印加のしかたに代えて、ノズル２０に正電圧を印加するとともに、電極１０を接地してもよい。尤も、ノズル２０に正電圧を印加するよりも、該ノズル２０を接地する方が、絶縁対策を簡便にできるので好ましい。
【００２７】
電極１０とノズル２０との間に加わる電位差は、１ｋＶ以上、特に１０ｋＶ以上とすることが、紡糸液を充分に帯電させる点から好ましい。一方、この電位差は１００ｋＶ以下、特に５０ｋＶ以下とすることが、ノズルと電極間における放電を防止する点から好ましい。例えば１ｋＶ以上１００ｋＶ以下、特に１０ｋＶ以上５０ｋＶ以下とすることが好ましい。
【００２８】
本実施形態の電界紡糸装置１においては、静電誘導の原理を使用して帯電を行っている。静電誘導とは、安定状態の導体に、例えば正に帯電させた物体（帯電体）を近づけると、該導体のうち、帯電体に近い部位に負電荷が移動し、逆に正電荷が帯電体から遠ざかって静電導体となる現象を言う。この導体に帯電体を近づけたままで、該導体のうち正に荷電している部位を接地すると、正電荷が電気的に中和されて、該導体は負電荷を持つ帯電体となる。図２に示す実施形態では電極１０を負に帯電させた帯電体として用いているので、ノズル１０は正電荷を持つ帯電体となる。したがって、正に帯電したノズル１０内を紡糸液が流通すると、該ノズル１０から正電荷が供給されて、該紡糸液は正に帯電する。
【００２９】
図７（ａ）には、本実施形態の電界紡糸装置１における電場・電荷の分布状態のモデル図が示されている。図７（ｂ）は、先に述べた特許文献３及び４で提案されている電界紡糸装置における電場・電荷の分布状態のモデル図である。図７（ａ）と図７（ｂ）との対比から明らかなとおり、図７（ａ）に示す本実施形態では、ノズル２０が電極１０の内面に露出している部位は少ないので、電極１０の面積がノズル２０の面積よりも圧倒的に大きく、そのことによって電極１０に比べてノズル２０の方が電荷密度が高くなり、かつ電場も強くなる。これに対して、図７（ｂ）に示す従来技術では、ノズル２０’はその先端だけではなく胴部も金属製であることから、球体からなる電極１０’の面積よりも、ノズル２０’の面積の方が大きく、そのことによって電極１０’に比べて、ノズル２０’の方が電荷密度が低くなり、かつ電場も弱くなる。このように、図７（ｂ）に示す従来の電界紡糸装置よりも、図７（ａ）に示す本実施形態の電界紡糸装置１の方が、電極の面積が大きく、かつノズルにおける金属部分が少ないので、図７（ａ）に示す本実施形態の電界紡糸装置１の方が、ノズル先端の電場が強くなり（つまり電荷密度が高くなり）、ノズル先端に電荷が集中するようになる。その結果、ノズル内を流通する紡糸液の帯電量が非常に多くなる。
【００３０】
図７（ａ）に示すモデルについて本発明者が更に検討を進めたところ、電極の面積を同じとした場合には、図７（ａ）に示すとおりの平面状の電極を用いるよりも、図１及び図２に示す凹曲面１１の電極１０を用いる方が、ノズル２０の先端に電荷が更に集中することが判明した。したがって、本実施形態のように電極１０の内面を凹曲面にすることで、ノズル２０内を流通する紡糸液の帯電量が極めて多くなる。しかも電極を凹曲面１１にすることで、平面状の電極を用いた場合よりも電極の嵩を減らすことができるので、電界紡糸装置１を小型化することができる。しかも、先に述べた特許文献１及び２に記載の電界紡糸装置１と異なり可動部位が存在しないので、装置が複雑化しないという利点もある。
【００３１】
ノズル２０の先端に電荷が一層集中するようにするために、該ノズル２０は、その延びる方向が、電極１０の凹曲面１１における開口端によって画成される円の中心か、又はその中心の近傍を通り、かつ該ノズル２０の先端２０ａが、該開口端によって画成される円を含む平面内に位置するか、又は該平面の近傍に位置するように配置されることが有利である。
【００３２】
特にノズル２０は、その延びる方向が、電極１０の凹曲面１１における開口端によって画成される円の中心か、又はその中心の近傍と、該凹曲面１１における最底部とを通るように配置されることが好ましい。とりわけ、凹曲面１１の開口端によって画成される円を含む平面と、ノズル２０の延びる方向とが直交していることが好ましい。このようにノズル２０を配置することで、ノズル２０の先端に電荷が更に一層集中するようになる。この観点から、電極１０の凹曲面１１は、真球の球殻の略半球面の形状をしていることが特に好ましい。
【００３３】
特に、電極１０の凹曲面１１における開口端によって画成される円の半径をｒとしたとき、該円を含む平面上に中心を同じくして描かれる、半径がｒ／５である仮想円を考えた場合、ノズル２０は、その延びる方向が、該仮想円の内側と、凹曲面１１における最底部とを通るように配置されることが好ましい。とりわけ、前記仮想円として、半径がｒ／１０であるものを考えた場合、ノズル２０は、その延びる方向が、半径がｒ／１０である該仮想円の内側と、凹曲面１１における最底部とを通るように配置されることが好ましい。更に好ましい形態として、ノズル２０は、その延びる方向が、電極１０の凹曲面１１における開口端によって画成される円の中心と、該凹曲面１１における最底部とを通るように配置される形態が挙げられる。
【００３４】
ノズル２０の先端２０ａの位置に関しては、該先端２０が、電極１０の凹曲面１１における開口端によって画成される円を含む平面内に位置するか、又は該平面よりも該凹曲面１１の内側に位置するように該ノズル２０を配置することが好ましい。具体的には該平面よりも１〜１０ｍｍ内側に配置することが好ましい。ノズル２０の先端２０ａの位置をこのようにすることで、ノズル２０の先端２０ａから吐出された紡糸液が、電極１０の凹曲面１１に引き寄せられにくくなり、該凹曲面１１が該紡糸液によって汚染されづらくなる。
【００３５】
先に述べたとおり、本実施形態の電界紡糸装置１においては、ノズル２０のうち、電極１０内に露出した金属部分（導体部分）の面積を小さくし、かつ電極１０の内面の面積を大きくすることで、ノズル２０の先端２０ａの電荷密度を高めている。この観点から、ノズル２０のうち電極１０内に露出した金属部分（導体部分）の面積に対する電極１０の内面の面積の比率は、その下限値が３０以上であることが好ましく、１００以上であることが更に好ましい。上限値に関しては、９００００以下であることが好ましく、５０００以下であることが更に好ましい。例えば３０以上９００００以下であることが好ましく、１００以上５０００以下であることが更に好ましい。この観点から、ノズル２０のうち電極１０内に露出した金属部分（導体部分）の面積とは、ノズル２０の側面の面積のことをいい、ノズル２０の内壁の面積は含まれない。また電極１０の内面の面積には、ノズルアセンブリ２１が取り付けられる開口部の面積は含まれない。
【００３６】
電極１０の内面の面積自体の値は、その下限値が４００ｍｍ2以上であることが好ましく、１０００ｍｍ2以上であることが更に好ましい。上限値に関しては、１８００００ｍｍ2以下であることが好ましく、４００００ｍｍ2以下であることが更に好ましい。例えば４００ｍｍ2以上１８００００ｍｍ2以下であることが好ましく、１０００ｍｍ2以上４００００ｍｍ2以下であることが更に好ましい。ノズル２０のうち電極１０内に露出した金属部分（導体部分）の面積は、その下限値が２ｍｍ2以上であることが好ましく、５ｍｍ2以上であることが更に好ましい。上限値に関しては、１０００ｍｍ2以下であることが好ましく、１００ｍｍ2以下であることが更に好ましい。例えば２ｍｍ2以上１０００ｍｍ2以下であることが好ましく、５ｍｍ2以上１００ｍｍ2以下であることが更に好ましい。
【００３７】
本実施形態の電界紡糸装置１においては、図１及び図２に示すとおり、ノズルアセンブリ２１におけるノズル２０の基部の近傍に、貫通孔からなる気体流噴出部２３が設けられている。気体流噴出部２３は、ノズル２０の延びる方向に沿って形成されている。更に気体流噴出部２３は、ノズル２０の先端２０ａの方向に向けて気体流を噴出させることが可能なように形成されている。電極１０の開口端側から見たとき、気体流噴出部２３は、ノズル２０を取り囲むように２個設けられている。各気体流噴出部２３は、ノズル２０を挟んで対称な位置に形成されている。貫通孔からなる気体流噴出部２３は、その後端側の開口部が気体流の供給源（図示せず）に接続されている。この供給源から気体が供給されることで、ノズル２０の周囲から気体が噴出されるようになっている。噴出した気体は、ノズル２０の先端２０ａから吐出され、かつ電界の作用によって細長く引き伸ばされた紡糸液を、後述する捕集用電極に向けて搬送する。なお、図１及び図２においては、気体流噴出部２３が２個設けられている状態が示されているが、気体流噴出部２３を設ける個数はこれに限られず、１個又は３個以上であってもよい。更に気体流噴出部の形状は円形に限られず（矩形、楕円、二重円環、三角、ハニカム）、均一な気体噴流を得る観点からはノズルを囲む環状が望ましい。また、気体流噴出部２３から噴出させる気体としてしては、空気を用いることが簡便である。
【００３８】
本実施形態の電界紡糸装置１を用いたナノファイバの製造方法においては、電極１０とノズル２０との間に電界を生じさせた状態下に、ノズル２０の先端２０ａから紡糸液を吐出する。紡糸液はノズル２０から吐出されるまでの間に静電誘導によって帯電し、帯電した状態で吐出される。ノズル２０の先端２０ａには電荷が集中しているので、紡糸液の単位質量当たりの帯電量は極めて高くなる。帯電した状態で吐出された紡糸液は電界の作用によって、その液面が円錐状に変形する。電極１０に引き付けられる力が紡糸液の表面張力を超えると、電極１０の方向に紡糸液が一気に引き寄せられる。このとき、吐出した紡糸液に向けて気体流噴出部２３から気体流を噴出させていることで、紡糸液の自己反発の連鎖によってファイバはナノサイズにまで細くなる。それと同時に比表面積が大きくなり、溶媒の揮発が進行する。その結果、乾燥によって生成したナノファイバが、ノズル２０と対向する位置に配置された捕集体（図示せず）の表面にランダムに堆積する。捕集体の表面にナノファイバを確実に堆積させる観点から、ノズル２０の先端に対向するようにナノファイバ捕集用電極（図示せず）を配置し、かつ該捕集用電極に隣接するように、該捕集用電極とノズル２０との間に、捕集体を配置してもよい。そして捕集用電極に、帯電した紡糸液の電荷と異なる電荷の電位を印加しておくことが好ましい。例えば紡糸液が正に帯電している場合には、捕集用電極を接地するか、又は捕集用電極に負の電圧を印加することができる。
【００３９】
以上のナノファイバの製造方法においては、ノズル２０の先端２０ａから吐出される紡糸液の帯電量が極めて高くなっているので、電極１０の方向に紡糸液を引き付ける力が大きなものとなる。したがって、従来よりも多量の紡糸液を吐出しても、従来と同程度に細いナノファイバを製造することが可能になる。しかも、紡糸液の吐出量を増加させても、得られるナノファイバに欠陥等が生じにくくなる。ここで言う欠陥とは、例えば紡糸液の液滴がそのまま固化したものや、紡糸液の液滴が十分に引き伸ばされないまま固化して生じたビーズ状のもののことである。
【００４０】
図８には、本実施形態の電界紡糸装置１を用いたナノファイバの製造装置５０の一例が示されている。同図に示す装置５０では、図１及び図２に示す電界紡糸装置１が複数配置されている。各電界紡糸装置１は板状の基台３０に固定されている。各電界紡糸装置１は基台３０の板面の方向にわたり二次元状に配置されている。また各電界紡糸装置１は、ノズル２０がいずれも同方向（図８では上方）を向くように配置されている。各電界紡糸装置１においては、電極１０に負の直流電圧が印加されているとともに、ノズル２０が接地されている。本実施形態の電界紡糸装置１の電極１０を凹曲面にすることで、電極１０とノズル２０との間に形成される電界が閉鎖的になる。そのことに起因して、周囲に及ぼす電界の影響が極めて小さくなる。その結果、複数個の電界紡糸装置１を近距離で配置しても、お互いの電界が干渉することがなくなる。このことは、電界紡糸装置１の小型化に極めて有利である。また、電界紡糸装置１の配置の密度を上げることによって、得られる不織布の均一性が向上するという有利な効果も奏される。
【００４１】
電界紡糸装置１の上方には、ノズル２０の先端に対向するようにナノファイバ捕集用電極５１が配置されている。捕集用電極５１は金属等の導体から構成されている平板状のものである。捕集用電極５１の板面と、ノズル２０の延びる方向とは略直交している。捕集用電極５１は接地されている。捕集用電極５１とノズル２０の先端との距離は、その下限値を好ましくは１００ｍｍ以上、更に好ましくは５００ｍｍ以上とすることができる。上限値は好ましくは３０００ｍｍ以下、更に好ましくは１０００ｍｍ以下とすることができる。例えば好ましくは１００ｍｍ以上３０００ｍｍ以下、更に好ましくは５００ｍｍ以上１０００ｍｍ以下とすることができる。
【００４２】
装置５０においては、捕集用電極５１に隣接するように、該捕集用電極５１とノズル２０との間に、ナノファイバが捕集される捕集体５２が配置されている。捕集体５２は長尺帯状のものであり、ロール状の原反５２ａから繰り出されるようになっている。繰り出された捕集体５２は、図８中、矢印Ａで示される方向に搬送され、ノズル２０と対向するようにノズル２０上を通過して、ワインダー５２ｂに巻き取られるようになっている。捕集体５２としては、例えばフィルム、メッシュ、不織布、紙などを用いることができる。
【００４３】
図８に示す装置５０を運転するには、まず捕集体５２を繰り出して、矢印Ａで示される方向に搬送する。また、電極１０に負の直流電圧を印加するとともに、ノズル２０及び捕集用電極５１を接地する。これらの状態下に、電界紡糸装置１に設けられた気体流噴出部２３から気体流を噴出させつつ、ノズル２０の先端２０ａから紡糸液を吐出する。吐出された紡糸液からナノファイバが生成し、該ナノファイバは、走行する捕集体５２の表面に連続的に堆積する。装置５０には複数の電界紡糸装置１が配置されているので、多量のナノファイバを製造することができる。しかも、吐出された紡糸液の帯電量は極めて高いので、紡糸液の吐出量を従来よりも高めても、従来と同程度の太さを有するナノファイバを製造することができる。このことによっても、多量のナノファイバを製造することができる。
【００４４】
紡糸液としては、繊維形成の可能な高分子化合物が溶媒に溶解した溶液を用いることができる。そのような高分子化合物としては、水溶性高分子化合物及び水不溶性高分子化合物のいずれもが用いられる。本明細書において「水溶性高分子化合物」とは、１気圧・常温（２０℃±１５℃）の環境下において、高分子化合物を、該高分子化合物に対して１０倍以上の質量の水に浸漬し、十分な時間（例えば２４時間以上）が経過したときに、浸漬した高分子化合物の５０質量％以上が溶解する程度に水に溶解可能な性質を有する高分子化合物をいう。一方、「水不溶性高分子化合物」とは、１気圧・常温（２０℃±１５℃）の環境下において、高分子化合物を、該高分子化合物に対して１０倍以上の質量の水に浸漬し、十分な時間（例えば２４時間以上）が経過したときに、浸漬した高分子化合物の８０質量％以上が溶解しない程度に水に溶解しづらい性質を有する高分子化合物をいう。
【００４５】
水溶性高分子化合物としては、例えばプルラン、ヒアルロン酸、コンドロイチン硫酸、ポリ−γ−グルタミン酸、変性コーンスターチ、β−グルカン、グルコオリゴ糖、ヘパリン、ケラト硫酸等のムコ多糖、セルロース、ペクチン、キシラン、リグニン、グルコマンナン、ガラクツロン、サイリウムシードガム、タマリンド種子ガム、アラビアガム、トラガントガム、変性コーンスターチ、大豆水溶性多糖、アルギン酸、カラギーナン、ラミナラン、寒天（アガロース）、フコイダン、メチルセルロース、ヒドロキシプロピルセルロース、ヒドロキシプロピルメチルセルロース等の天然高分子、部分鹸化ポリビニルアルコール（後述する架橋剤と併用しない場合）、低鹸化ポリビニルアルコール、ポリビニルピロリドン（ＰＶＰ）、ポリエチレンオキサイド、ポリアクリル酸ナトリウム等の合成高分子などが挙げられる。これらの水溶性高分子化合物は単独で又は２種以上を組み合わせて用いることができる。これらの水溶性高分子化合物のうち、ナノファイバの製造が容易である観点から、プルラン、並びに部分鹸化ポリビニルアルコール、低鹸化ポリビニルアルコール、ポリビニルピロリドン及びポリエチレンオキサイド等の合成高分子を用いることが好ましい。
【００４６】
一方、水不溶性高分子化合物としては、例えばナノファイバ形成後に不溶化処理できる完全鹸化ポリビニルアルコール、架橋剤と併用することでナノファイバ形成後に架橋処理できる部分鹸化ポリビニルアルコール、ポリ（Ｎ−プロパノイルエチレンイミン）グラフト−ジメチルシロキサン／γ−アミノプロピルメチルシロキサン共重合体等のオキサゾリン変性シリコーン、ツエイン（とうもろこし蛋白質の主要成分）、ポリエステル、ポリ乳酸（ＰＬＡ）、ポリアクリロニトリル樹脂、ポリメタクリル酸樹脂等のアクリル樹脂、ポリスチレン樹脂、ポリビニルブチラール樹脂、ポリエチレンテフタレート樹脂、ポリブチレンテフタレート樹脂、ポリウレタン樹脂、ポリアミド樹脂、ポリイミド樹脂、ポリアミドイミド樹脂などが挙げられる。これらの水不溶性高分子化合物は単独で又は２種以上を組み合わせて用いることができる。
【００４７】
本実施形態の電界紡糸装置１及びナノファイバ製造装置５０によって製造されるナノファイバは、その太さを円相当直径で表した場合、一般に１０ｎｍ以上３０００ｎｍ以下、特に１０ｎｍ以上１０００ｎｍ以下のものである。ナノファイバの太さは、例えば走査型電子顕微鏡（ＳＥＭ）観察によって測定することができる。このようなナノファイバをランダムに堆積させることでナノファイバシートが得られる。このナノファイバシートは、例えば高集塵性でかつ低圧損の高性能フィルタ、高電流密度での使用が可能な電池用セパレータ、高空孔構造を有する細胞培養用基材等として好適に用いられる。
【００４８】
図９には、図１に示す形態の電界紡糸装置１の変形例が示されている。図９に示す電界紡糸装置１Ａは、電極１０Ａの形状が、図１に示す装置１と異なっている。これ以外の構成は図１に示す装置１と同じになっている。図９に示す装置１Ａにおける電極１０Ａは、図１に示す装置１における略椀形の電極１０の対向する２つの側部を、ノズル２０の延びる方向と平行な面に沿って切断して形成された第１切り欠き面２４ａ及び第２切り欠き面２４ｂを有している。２つの切り欠き面２４ａ，２４ｂは互いに平行になっている。ノズル２０から第１切り欠き面２４ａまでの距離と、ノズル２０から第２切り欠き面２４ｂまでの距離とは同じになっているか、又は異なっている。第１切り欠き面２４ａと、基台３０の第１側面３０ａとは、好ましくは同一面上に位置している。同様に、第２切り欠き面２４ｂと、基台３０の第２側面３０ｂとは、好ましくは同一面上に位置している。
【００４９】
電界紡糸装置１Ａの電極１０Ａは、図１に示す電極１０の内面の面積に対して、好ましくは１％以上の面積を切り欠いて形成されていることが好ましい。また、電界紡糸装置１Ａの電極１０Ａは、図１に示す電極１０の内面の面積に対して、好ましくは５０％以下、更に好ましくは２０％以下の面積を切り欠いて形成されていることが好ましい。例えば、電界紡糸装置１Ａの電極１０Ａは、図１に示す電極１０の内面の面積に対して、好ましくは１％以上５０％以下、更に好ましくは１％以上２０％以下の面積を切り欠いて形成されていることが好ましい。
【００５０】
図１０には、図１に示す形態の電界紡糸装置１の更に別の変形例が示されている。図１０に示す電界紡糸装置１Ｂは、電極１０Ｂの形状が、図１に示す装置１と異なっている。これ以外の構成は図１に示す装置１と同じになっている。図１０に示す装置１Ｂにおける電極１０Ｂは、円筒をその中心軸に沿って略二分したうちの一方の形状をしている。換言すれば、略半円筒の形状をしている。ここで言う「円筒」とは横断面が真円である円筒だけでなく、横断面が楕円である円筒も包含する。以下の説明では、電極１０Ｂのことを、「半円筒電極１０Ｂ」とも言う。半円筒電極１０Ｂは、円筒の中心軸が水平方向と平行となり、かつ半円筒の内面が外方を向くように基台３０上に載置されている。半円筒の内面の最底部には、ノズルアセンブリ２１が配置されている。つまり、半円筒の周長の略１／２の位置にノズルアセンブリ２１が配置されている。また、ノズルアセンブリ２１は、半円筒電極１０Ｂの長手方向Ｘの中央部に配置されている。ノズルアセンブリ２１におけるノズル２０の延びる方向は、円筒の中心軸と直交する方向になっている。長手方向Ｘとは、円筒の中心軸の延びる方向のことである。
【００５１】
半円筒電極１０Ｂは、その長手方向Ｘの一端に第１切り欠き面２４ａを有している。また、長手方向Ｘの他端に第２切り欠き面２４ｂを有している。２つの切り欠き面２４ａ，２４ｂは互いに平行になっている。また２つの切り欠き面２４ａ，２４ｂは、ノズル２０の延びる方向とも平行になっている。ノズル２０から第１切り欠き面２４ａまでの距離と、ノズル２０から第２切り欠き面２４ｂまでの距離とは同じになっているか、又は異なっている。第１切り欠き面２４ａと、基台３０の第１側面３０ａとは、好ましくは同一面上に位置している。同様に、第２切り欠き面２４ｂと、基台３０の第２側面３０ｂとは、好ましくは同一面上に位置している。
【００５２】
半円筒電極１０Ｂは、その長手方向Ｘの長さが、１０ｍｍ以上であることが好ましく、２０ｍｍ以上であることが更に好ましく、３０ｍｍ以上であることが一層好ましい。上限値に関しては、８００ｍｍ以下であることが好ましく、４００ｍｍ以下であることが更に好ましく、２００ｍｍ以下であることが一層好ましい。例えば半円筒電極１０Ｂの長手方向Ｘの長さは、１０ｍｍ以上８００ｍｍ以下であることが好ましく、２０ｍｍ以上４００ｍｍ以下であることが更に好ましく、３０ｍｍ以上２００ｍｍ以下であることが一層好ましい。半円筒電極１０Ｂの長さをこのように設定することで、ノズル２０の先端に電荷を効率よく集中させることができる。
【００５３】
半円筒電極１０Ｂは、円筒内面の半径の値が、１０ｍｍ以上であることが好ましく、２０ｍｍ以上であることが更に好ましく、３０ｍｍ以上であることが一層好ましい。上限値に関しては、２００ｍｍ以下であることが好ましく、１００ｍｍ以下であることが更に好ましく、５０ｍｍ以下であることが一層好ましい。例えば半円筒電極１０Ｂにおける円筒内面の半径の値は、１０ｍｍ以上２００ｍｍ以下であることが好ましく、２０ｍｍ以上１００ｍｍ以下であることが更に好ましく、３０ｍｍ以上１００ｍｍ以下であることが一層好ましい。このようにすることで、ノズル２０の先端に電荷を効率よく集中させることができる。また、電界紡糸装置１０Ｂを隣接させて複数個配置するときに、隣り合う装置１０Ｂどうしが干渉することを効果的に防止できる。
【００５４】
半円筒電極１０Ｂにおいては、円筒の中心軸と、電極１０Ｂの幅方向Ｙの両端に位置する各端縁２５ａ，２５ｂとによって形成される中心角の値が、１２０°以上であることが好ましく、１５０°以上であることが更に好ましい。また２７０°以下であることが好ましく、２１０°以下であることが更に好ましい。例えば前記中心角の値は１２０°以上２７０°以下であることが好ましく、１５０°以上２１０°以下であることが更に好ましい。前記中心角の値をこの範囲に設定することで、ノズル２０の先端に電荷を充分に集中させることができる。中心角とは、図１０の２４ａまたは２４ｂ側の側面から見たときに、凹曲面１１側に形成される角度を表す。
【００５５】
図９及び図１０に示す実施形態の電界紡糸装置１Ａ，１Ｂにおいては、ノズル２０の延びる方向が、電極１０Ａ，１０Ｂの凹曲面における開口端によって画成される平面の図心か、又はその図心の近傍を通り、かつノズル２０の先端が、該開口端によって画成される該平面内に位置するか、又は該平面の近傍に位置するように、該ノズル２０を配置している。特に、ノズル２０の延びる方向が、電極１０Ａ，１０Ｂの凹曲面における開口端によって画成される平面の図心か、又はその図心の近傍と、該凹曲面における最底部の位置であって、かつ電極２０との距離が最短となる該位置とを通るように、ノズル２０を配置することが好ましい。「図心」とは、重心と同じ概念である。しかし、凹曲面における開口端によって画成される平面は仮想の平面で質量がないため、重心と呼ぶのは正確でないことから、本明細書では、重心に代えて図心と呼ぶ。
【００５６】
電極１０Ｂの凹曲面１１における開口端によって画成される平面の最長の対角線をＬとしたとき、該平面上に図心を同じくして描かれる、半径がＬ／１０である仮想円を考えた場合、ノズル２０は、その延びる方向が、該仮想円の内側と、凹曲面１１における最底部とを通るように配置されることが好ましい。とりわけ、前記仮想円として、半径がＬ／２０であるものを考えた場合、ノズル２０は、その延びる方向が、半径がＬ／２０である該仮想円の内側と、凹曲面１１における最底部とを通るように配置されることが好ましい。更に好ましい形態として、ノズル２０は、その延びる方向が、電極１０Ｂの凹曲面１１における開口端によって画成される平面の図心と、該凹曲面１１における最底部とを通るように配置される形態が挙げられる。
【００５７】
図９及び図１０に示す実施形態の電界紡糸装置１Ａ，１Ｂは、その複数個を、切り欠き面２４ａ，２４ｂと直交する方向に沿って配置することが好ましい。これによって、先に述べた図８に示すナノファイバの製造装置５０を容易に組み立てることができる。しかも、これらの電界紡糸装置１Ａ，１Ｂを複数個配置することで、各装置１Ａ，１Ｂにおける電極１０Ａ，１０Ｂが切り欠き面２４ａ，２４ｂにおいて当接し、凹曲面の内部に、連続した空間が形成される。その空間を利用することで、一度に複数の装置１Ａ，１Ｂのメンテナンス（例えば清掃）が容易にできるという利点がある。例えば、紐状の繊維などでノズル２０の先端部を掻き取ることにより、紡糸溶液や異物等に起因するノズル２０の先端の汚染や固化の防止が可能になり、人手が介入することなく、連続的にナノファイバを生産ができる。また、ノズル２０の先端の状態観察も容易になる。例えば長手方向Ｘに沿って、同時に複数本のノズル２０の先端の様子が観察できることから、メンテナンスのタイミングの判断や、ノズル２０の先端の汚染や詰まりなどの早期発見が容易になり、装置の安定稼働に役立つ。
【００５８】
なお、図９及び図１０に示す実施形態の電界紡糸装置１Ａ，１Ｂに関し、特に説明しなかった点については、図１に示す実施形態の電界紡糸装置１に関する説明が適宜適用される。
【００５９】
以上、本発明をその好ましい実施形態に基づき説明したが、本発明は前記実施形態に制限されない。例えば電極１０の凹曲面１１は、半球の球殻の内面の形状であることが好ましいが、これに代えて例えば図１１に示すとおり、球冠の球殻の内面の形状としてもよい。この場合、凹曲面１１の開口端２５と、ノズル２０の先端部２０ａとの距離をｒとし、ノズル２０の先端部２０ａと、凹曲面１１の開口端によって画成される円との距離をｄとしたとき、ｄ／ｒの値が−０．５以上、特に−０．２５以上であることが好ましく、また０．７１以下、特に０．２５以下であることが好ましい。例えばｄ／ｒの値は−０．５以上０．７１以下であることが好ましく、−０．２５以上０．２５以下であることが更に好ましい。図９及び図１０に示す実施形態の電極１０Ａ，１０Ｂについても同様である。ただしｄは、ノズル２０の先端２０ａと、凹曲面によって開口端に画成される平面とによって形成される中心角θ（図１１参照）が１８０°よりも小さいときにマイナス符号で表す。
【００６０】
また、前記の各実施形態においては、ノズル２０を凹曲面１１の最底部に配置したが、それ以外の位置にノズル２０を配置してもよい。
【００６１】
上述した各実施形態に関し、本発明は更に以下の電界紡糸装置及びナノファイバ製造装置を開示する。
【００６２】
＜１＞
凹曲面を備えた電極と、該電極の凹曲面に囲まれるように配置された針状の紡糸液吐出用ノズルとを有し、該電極と該ノズルとの間に電界を生じさせた状態下に、該ノズルの先端より吐出させた紡糸液からナノファイバを形成するようにした電界紡糸装置であって、
前記ノズルの延びる方向が、前記電極の凹曲面における開口端によって画成される円の中心か、又はその中心の近傍を通り、かつ該ノズルの先端が、該開口端によって画成される円を含む平面内に位置するか、又は該平面の近傍に位置するように、該ノズルを配置した電界紡糸装置。
【００６３】
＜２＞
凹曲面の最底部は開口しており、その開口部にノズルアセンブリが取り付けられており、
ノズルアセンブリは、前記ノズルと、該ノズルを支持する支持部とを有し、該ノズルは導電性材料から構成されており、一般には金属から構成されており、該支持部は電気絶縁性材料から構成されている前記＜１＞に記載の電界紡糸装置。
＜３＞
前記ノズルのうち電極内に露出した金属部分（導体部分）の面積に対する電極の内面の面積の比率は、その下限値が３０以上であることが好ましく、１００以上であることが更に好ましく、９００００以下であることが好ましく、５０００以下であることが更に好ましく、３０以上９００００以下であることが好ましく、１００以上５０００以下であることが更に好ましい前記＜１＞又は＜２＞に記載の電界紡糸装置。
【００６４】
＜４＞
電極の内面の面積自体の値は、その下限値が４００ｍｍ2以上であることが好ましく、１０００ｍｍ2以上であることが更に好ましく、１８００００ｍｍ2以下であることが好ましく、４００００ｍｍ2以下であることが更に好ましく、４００ｍｍ2以上１８００００ｍｍ2以下であることが好ましく、１０００ｍｍ2以上４００００ｍｍ2以下であることが更に好ましい前記＜１＞ないし＜３＞のいずれか１に記載の電界紡糸装置。
＜５＞
前記ノズルのうち電極内に露出した金属部分（導体部分）の面積は、その下限値が２ｍｍ2以上であることが好ましく、５ｍｍ2以上であることが更に好ましく、１０００ｍｍ2以下であることが好ましく、１００ｍｍ2以下であることが更に好ましく、２ｍｍ2以上１０００ｍｍ2以下であることが好ましく、５ｍｍ2以上１００ｍｍ2以下であることが更に好ましい前記＜１＞ないし＜４＞のいずれか１に記載の電界紡糸装置。
【００６５】
＜６＞
電極における凹曲面が、平面部を有する複数のセグメントを繋ぎ合わせて全体として凹曲面とみなせる形状となっているか、又は互いに直交する三軸のうち一軸が曲率を有さない帯状部を有する複数の環状セグメントを繋ぎ合わせて全体として凹曲面とみなせる形状となっている前記＜１＞ないし＜５＞のいずれか１に記載の電界紡糸装置。
＜７＞
前記セグメントの縦及び横の長さが０．５〜５ｍｍ程度の矩形となっている、同一の又は異なる大きさの平面部を有するセグメントを繋ぎ合わせて凹曲面が形成されている前記＜６＞に記載の電界紡糸装置。
＜８＞
前記環状セグメントは半径が種々異なり、かつ高さが０．００１〜５ｍｍである扁平な複数種類の円筒からなる環状セグメントを繋ぎ合わせて形成されている前記＜６＞に記載の電界紡糸装置。
【００６６】
＜９＞
電極における凹曲面は、その任意の位置における曲率が、該位置での法線が前記ノズルの先端又はその近傍を通るような値となっている前記＜１＞ないし＜８＞のいずれか１に記載の電界紡糸装置。
＜１０＞
前記ノズルの内径は、その下限値が好ましくは２００μｍ以上、更に好ましくは３００μｍ以上であり、その上限値が好ましくは３０００μｍ以下、更に好ましくは２０００μｍ以下であり、好ましくは２００μｍ以上３０００μｍ以下、更に好ましくは３００μｍ以上２０００μｍ以下である前記＜１＞ないし＜９＞のいずれか１に記載の電界紡糸装置。
＜１１＞
前記ノズルを、その横断面視において複数の区画に区切り、各区画に前記紡糸液を流通させるようにした前記＜１＞ないし＜１０＞にいずれか１に記載の電界紡糸装置。
【００６７】
＜１２＞
各区画の形状又は内径が同じであってもよく、あるいは異なっていてもよい前記＜１１＞に記載の電界紡糸装置。
＜１３＞
ノズルが接地されており、前記電極には負電圧が印加されている前記＜１＞ないし＜１２＞のいずれか１に記載の電界紡糸装置。
＜１４＞
前記ノズルの延びる方向が、電極の凹曲面における開口端によって画成される円の中心か、又はその中心の近傍と、該凹曲面における最底部とを通るように、該ノズルを配置した前記＜１＞ないし＜１３＞のいずれか１に記載の電界紡糸装置。
＜１５＞
電極の凹曲面における開口端によって画成される円の半径をｒとしたときに、該円を含む平面上に中心を同じくして描かれる、半径がｒ／５である仮想円を考えた場合、前記ノズルの延びる方向が、該仮想円の内側と、該凹曲面における最底部とを通るように、該ノズルを配置した前記＜１＞ないし＜１３＞のいずれか１に記載の電界紡糸装置。
＜１６＞
電極の凹曲面における開口端によって画成される円の半径をｒとしたときに、該円を含む平面上に中心を同じくして描かれる、半径がｒ／１０である仮想円を考えた場合、前記ノズルの延びる方向が、該仮想円の内側と、該凹曲面における最底部とを通るように、該ノズルを配置した前記＜１＞ないし＜１３＞のいずれか１に記載の電界紡糸装置。
＜１７＞
前記ノズルの延びる方向が、電極の凹曲面における開口端によって画成される円の中心と、該凹曲面における最底部とを通るように、該ノズルを配置した前記＜１＞ないし＜１３＞のいずれか１に記載の電界紡糸装置。
＜１８＞
前記ノズルの先端が、電極の凹曲面における開口端によって画成される円を含む平面内に位置するか、又は該平面よりも該凹曲面の内側に位置するように、該ノズルを配置した前記＜１＞ないし＜１７＞のいずれか１に記載の電界紡糸装置。
【００６８】
＜１９＞
前記ノズルの先端が、前記平面より１〜１０ｍｍ内側に位置するように該ノズルを配置する前記＜１８＞に記載の電界紡糸装置。
＜２０＞
前記ノズルの先端が前記平面よりも５ｍｍ内側に位置するように該ノズルを配置する前記＜１９＞に記載の電界紡糸装置。
＜２１＞
電極の凹曲面が、真球の球殻の略半球面の形状をしている前記＜１＞ないし＜２０＞のいずれか１に記載の電界紡糸装置。
【００６９】
＜２２＞
凹曲面を備えた電極と、該電極の凹曲面に囲まれるように配置された針状の紡糸液吐出用ノズルとを有し、該電極と該ノズルとの間に電界を生じさせた状態下に、該ノズルの先端より吐出させた紡糸液からナノファイバを形成するようにした電界紡糸装置であって、
前記ノズルの延びる方向が、前記電極の凹曲面における開口端によって画成される平面の図心か、又はその図心の近傍を通り、かつ該ノズルの先端が、該開口端によって画成される平面内に位置するか、又は該平面の近傍に位置するように、該ノズルを配置した電界紡糸装置。
＜２３＞
前記電極における凹曲面が、平面部を有する複数のセグメントを繋ぎ合わせて全体として凹曲面とみなせる形状となっている前記＜２２＞に記載の電界紡糸装置。
＜２４＞
前記ノズルの延びる方向が、前記電極の凹曲面における開口端によって画成される平面の図心か、又はその図心の近傍と、該凹曲面における最底部の位置であって、かつ該電極との距離が最短となる該位置とを通るように、該ノズルを配置した前記＜２２＞又は＜２３＞に記載の電界紡糸装置。
＜２５＞
電極の凹曲面における開口端によって画成される平面の最長の対角線をＬとしたときに、該平面上に図心を同じくして描かれる、半径がＬ／１０である仮想円を考えた場合、前記ノズルの延びる方向が、該仮想円の内側と、電極との距離が最短、且つ該凹曲面における最底部とを通るように、該ノズルを配置した前記＜２２＞ないし＜２４＞のいずれか１に記載の電界紡糸装置。
【００７０】
＜２６＞
電極の凹曲面における開口端によって画成される平面の最長の対角線をＬとしたときに、該平面上に図心を同じくして描かれる、半径がＬ／２０である仮想円を考えた場合、前記ノズルの延びる方向が、該仮想円の内側と、電極との距離が最短、且つ該凹曲面における最底部とを通るように、該ノズルを配置した前記＜２２＞ないし＜２４＞のいずれか１に記載の電界紡糸装置。
＜２７＞
前記ノズルの延びる方向が、前記電極の凹曲面における開口端によって画成される平面の図心と、該凹曲面における最底部とを通るように、該ノズルを配置した前記＜２２＞ないし＜２４＞のいずれか１に記載の電界紡糸装置。
＜２８＞
前記ノズルの先端が、前記電極の凹曲面における開口端によって画成される平面内に位置するか、又は該平面よりも該凹曲面の内側に位置するように、該ノズルを配置した前記＜２２＞ないし＜２７＞のいずれか一項に記載の電界紡糸装置。
＜２９＞
前記電極の凹曲面が略椀形をしており、かつ該電極は、該略椀形の対向する２つの側部を、前記ノズルの延びる方向と平行な面に沿って切断して形成された第１切り欠き面及び第２切り欠き面を有している前記＜２２＞ないし＜２８＞のいずれか一項に記載の電界紡糸装置。
＜３０＞
前記電極の凹曲面が、略半円筒の形状をしている前記＜２２＞ないし＜２８＞のいずれか一項に記載の電界紡糸装置。
【００７１】
＜３１＞
前記＜１＞ないし＜３０＞のいずれか１に記載の電界紡糸装置と、
前記電界紡糸装置における前記ノズルの基部の近傍に位置し、該ノズルの延びる方向に沿って、かつ該ノズルの先端方向に向けて気体流を噴出させる気体流噴出部と、
前記ノズルの先端に対向するように配置されたナノファイバ捕集用電極と、
前記ノズルに前記紡糸液を供給する紡糸液供給部とを有するナノファイバ製造装置。
【００７２】
＜３２＞
気体流噴出部の個数が複数である前記＜３１＞に記載のナノファイバ製造装置。
＜３３＞ 
気体流噴出部の形状はノズルを囲む環状である前記＜３１＞又は＜３２＞に記載のナノファイバ製造装置。
＜３４＞
ナノファイバ捕集用電極と前記ノズルの先端との距離は、その下限値が好ましくは１００ｍｍ以上、更に好ましくは５００ｍｍ以上であり、上限値が好ましくは３０００ｍｍ以下、更に好ましくは１０００ｍｍ以下であり、好ましくは１００ｍｍ以上３０００ｍｍ以下、更に好ましくは５００ｍｍ以上１０００ｍｍ以下である前記＜３１＞ないし＜３３＞のいずれか１に記載のナノファイバ製造装置。
【００７３】
＜３５＞
前記ノズルがいずれも同方向を向くように、前記電界紡糸装置を複数配置した前記＜３１＞ないし＜３４＞のいずれか１に記載のナノファイバ製造装置。
＜３６＞
前記電界紡糸装置における前記電極が、該電極の対向する２つの側部を、前記ノズルの延びる方向と平行な面に沿って切断して形成された第１切り欠き面及び第２切り欠き面を有しており、
複数個の前記電界紡糸装置を、各装置における前記電極が、前記切り欠き面において当接するように、該切り欠き面と直交する方向に沿って配置した前記＜３１＞ないし＜３５＞のいずれか１に記載のナノファイバ製造装置。
＜３７＞
ナノファイバ捕集用電極に隣接するように、該ナノファイバ捕集用電極と前記ノズルとの間に、ナノファイバが捕集される捕集体を配置し、該捕集体を一方向に走行させるようにした前記＜３１＞ないし＜３５＞のいずれか１に記載のナノファイバ製造装置。
＜３８＞
凹曲面を備えた電極と、該電極の凹曲面に囲まれるように配置された針状の紡糸液吐出用ノズルとの間に電界を生じさせた状態下に、帯電した紡糸液を該ノズルの先端より吐出させ、
吐出した前記紡糸液に向けて気体流を噴出させて、ナノファイバを生成させ、
前記ナノファイバを捕集体の表面に堆積させるナノファイバの製造方法。
＜３９＞
前記＜３１＞ないし＜３７＞のいずれか１に記載のナノファイバ製造装置を用いるナノファイバの製造方法。
【実施例】
【００７４】
以下、実施例により本発明を更に詳細に説明する。しかしながら本発明の範囲は、かかる実施例に制限されない。特に断らない限り、「％」は「質量％」を意味する。
【００７５】
〔実施例１〕
図１及び図２に示す電界紡糸装置１を用いてナノファイバの製造を行った。製造は、２３℃、４０％ＲＨの環境下で行った。電界紡糸装置１における電極１０の凹曲面１１は、真球の球殻の半球面の形状とした。凹曲面１１の開口端を画成する円の直径は９０ｍｍとした。電極の面積は８４７８ｍｍ2とした。ノズル２０のうち電極１０内に露出した金属部分の表面積を４２ｍｍ2、内径を６００μｍとした。ノズル２０の先端を、凹曲面１１の開口端を画成する円を含む平面から５ｍｍ内寄りに位置させた。ノズル２０を含むノズルアセンブリ２１は、電極１０の凹曲面１１の最底部に配置した。ノズル２０はその延びる方向が、電極１０の凹曲面１１における開口端によって画成される円の中心を通るように配置した。捕集用電極５１は、ノズルの先端から１０００ｍｍ隔てた位置に配置した。電極１０に−１５ｋＶの直流電圧を印加した。ノズル２０及び捕集用電極５１は接地した。ノズルアセンブリ２１の気体流噴出部２３から空気を２００ｍＬ／ｍｉｎで噴出させた状態下に、紡糸液を１．０ｇ／ｍｉｎの吐出量で１０分間にわたって連続して吐出させた。紡糸液として１５％プルランの水溶液を用いた。吐出によって形成されたナノファイバを、捕集用電極５１に隣接して配置したＰＥＴ（ポリエチレンテレフタレート）フィルムの表面に堆積させた。このようにしてナノファイバを得た。
【００７６】
〔比較例１〕
本比較例は、特許文献４の実施例１を追試したものであり、先に述べた図７（ｂ）に示すモデル図に相当するものである。紡糸液として１５％プルランの水溶液を用い、紡糸液の吐出量を１．０ｇ／ｍｉｎとした。また、ナノファイバ生成部の印加電圧を−３５ｋＶとした。これら以外は特許文献４の実施例１と同様の操作を行いナノファイバを得た。
【００７７】
〔比較例２〕
比較例１において紡糸液の吐出量を０．１ｇ／ｍｉｎに減量した以外は比較例１と同様の操作を行いナノファイバを得た。
【００７８】
〔評価〕
実施例及び比較例で得られたナノファイバを走査型電子顕微鏡で観察した。その結果を図１２ないし図１４に示す。図１２から明らかなとおり、実施例１のナノファイバには、紡糸液の液滴がそのまま固化したものや、紡糸液の液滴が十分に引き伸ばされないまま固化して生じたビーズ状のものがほとんど観察されないことが判る。図１２（ｂ）からファイバの太さを実測したところ約２００ｎｍであった。
これに対して、紡糸液の吐出量が実施例１と同じである比較例１では、紡糸液の液滴がそのまま固化したもの（図１３（ａ）中、黒い斑点の部分）や、紡糸液の液滴が十分に引き伸ばされないまま固化して生じたビーズ状のもの（図１３（ｃ）中、白い斑点の部分）の存在が観察された。図１３（ｂ）からファイバの太さを実測したところ約５００ｎｍであり、実施例１よりも太くなってしまった。
紡糸液の吐出量が実施例１の１／１０と少量である比較例２においても、紡糸液の液滴がそのまま固化したもの（図１４（ａ）中、黒い斑点の部分）や、紡糸液の液滴が十分に引き伸ばされないまま固化して生じたビーズ状のもの（図１４（ａ）中、白い微小な斑点の部分）の存在が観察された。図１４（ｂ）からファイバの太さを実測したところ約４００ｎｍであり、紡糸液の吐出量が実施例１の１／１０と少量であるにもかかわらず、実施例１よりも太くなってしまった。
【符号の説明】
【００７９】
１，１Ａ，１Ｂ  電界紡糸装置
１０，１０Ａ，１０Ｂ  電極
１１  凹曲面
２０  紡糸液吐出用ノズル
２１  ノズルアセンブリ
２２  支持部
２３  気体流噴出部
３０  基台
４０  直流高圧電源
５０  ナノファイバ製造装置
５１  ナノファイバ捕集用電極
５２  捕集体
【図１】
2014095174.tif 000003
【図２】
2014095174.tif 000004
【図３】
2014095174.tif 000005
【図４】
2014095174.tif 000006
【図５】
2014095174.tif 000007
【図６】
2014095174.tif 000008
【図８】
2014095174.tif 000009
【図９】
2014095174.tif 000010
【図１０】
2014095174.tif 000011
【図１１】
2014095174.tif 000012
【図７】
2014095174.tif 000013
【図１２】
2014095174.tif 000014
【図１３】
2014095174.tif 000015
【図１４】
2014095174.tif 000016